(57)【要約】【課題】  汎用的な周囲枠と一対の逆成形木製複合ドア被覆材とを有するドアを提供する。【解決手段】  中空芯ドアが周囲枠と、第１及び第２の成型ドア被覆材とを有する。各ドア被覆材は、表面と、前記周囲枠の反対向きの各面へ固定される裏面とをもつ。ドア被覆材の少なくとも一方は、外側平面領域と、内側平面領域と、前記内側平面領域を取り囲み前記外側平面領域と内側平面領域とを相互接続しかつこれらと一体的な不均整輪郭領域とをもつ。この不均整輪郭領域は、前記外側平面領域の面からこの面に対して表側へ延びる凸部分をもつ。
2005536669.tif 000002
【特許請求の範囲】
【請求項１】
成型された第１及び第２のドア被覆材を有し、前記ドア被覆材の各々が、表面と、周囲枠の反対向きの各面へ固定される裏面とを具備し、
前記ドア被覆材の少なくとも一方が、外側平面領域と、内側平面領域と、前記内側平面領域を取り囲みかつ前記外側平面領域及び前記内側平面領域を相互接続すると共にこれらと一体的である不均整輪郭領域とを具備し、
前記不均整輪郭領域が前記外側平面領域の面に対してこの面から表側に延びる凸部分を具備する中空芯ドア。
【請求項２】
前記ドア被覆材の各々が成型された木製複合材であり、前記不均整輪郭領域がさらに前記外側平面領域の面に対してこの面から裏側に延びる凹部分を具備する、請求項１に記載の中空芯ドア。
【請求項３】
前記凹部分が前記内側平面領域及び前記凸部分から延びておりかつこれらと一体的である、請求項２に記載の中空芯ドア。
【請求項４】
前記凸部分が前記外側平面領域及び前記凹部分から延びておりかつこれらと一体的である、請求項３に記載の中空芯ドア。
【請求項５】
前記内側平面領域が長方形である、請求項１に記載の中空芯ドア。
【請求項６】
前記ドア被覆材が少なくとも２つの前記内側平面領域と、対応する少なくとも２つの前記不均整輪郭領域とを具備する、請求項１に記載の中空芯ドア。
【請求項７】
少なくとも２つの前記内側平面領域が異なる形状をもつ、請求項６に記載の中空芯ドア。
【請求項８】
前記第１のドア被覆材と前記第２のドア被覆材とが前記周囲枠に対して互いに鏡像関係で固定されている、請求項１に記載の中空芯ドア。
【請求項９】
前記第１のドア被覆材と前記第２のドア被覆材とが前記周囲枠へ固定されることにより、前記第１のドア被覆材の前記内側平面領域及び前記不均整輪郭領域が、前記第２のドア被覆材の前記内側平面領域及び前記不均整輪郭領域と揃う、請求項８に記載の中空芯ドア。
【請求項１０】
前記第１及び第２のドア被覆材における前記内側平面領域の裏面同士の間にプレートをさらに有する、請求項９に記載の中空芯ドア。
【請求項１１】
前記ドア被覆材の前記外側平面領域の裏面が前記周囲枠へ固定される、請求項１に記載の中空芯ドア。
【請求項１２】
前記プレートが前記周囲枠及び前記不均整輪郭領域から離間しておりかつ前記中空芯ドア内部の中空空間を規定する、請求項１０に記載の中空芯ドア。
【請求項１３】
前記周囲枠がさらにそのスタイル同士の間に前記スタイルに対して垂直に延びる中間レールを有する、請求項１２に記載の中空芯ドア。
【請求項１４】
前記内側平面領域が前記外側平面領域の面から離間した面上に位置する、請求項１に記載の中空芯ドア。
【請求項１５】
前記内側平面領域が前記外側平面領域の面に対して窪んで配置されている、請求項１４に記載の中空芯ドア。
【請求項１６】
前記凸部分が第１の厚さをもち、前記外側平面領域が第２の厚さをもち、かつ前記第１の厚さが前記第２の厚さよりも薄い、請求項１に記載の中空芯ドア。
【請求項１７】
成型された木製複合材からなるドア被覆材において、
外側平面領域と、
内側平面領域と、
前記内側平面領域を取り囲みかつ前記外側平面領域と前記内側平面領域とを相互接続すると共にこれらと一体的な不均整輪郭領域とを具備し、
前記不均整輪郭領域が、前記外側平面領域の面に対してこの面から表側に延びる凸部分を具備する、
ドア被覆材。
【請求項１８】
前記凸部分が第１の厚さをもち、前記外側平面領域が第２の厚さをもち、かつ前記第１の厚さが前記第２の厚さよりも薄い、請求項１７に記載の中空芯ドア。
【請求項１９】
前記内側平面領域の厚さが前記第１の厚さよりも厚い、請求項１８に記載の中空芯ドア。
【請求項２０】
前記不均整輪郭領域がさらに前記外側平面領域の面に対してこの面から裏側に延びる凹部分を具備する、請求項１７に記載のドア被覆材。
【請求項２１】
前記凹部分が前記内側平面領域及び前記凸部分から延びておりかつこれらと一体的である、請求項２０に記載のドア被覆材。
【請求項２２】
前記凸部分が前記外側平面領域及び前記凹部分から延びておりかつこれらと一体的である、請求項２１に記載のドア被覆材。
【請求項２３】
前記内側平面領域が長方形領域を形成する、請求項１７に記載のドア被覆材。
【請求項２４】
少なくとも２つの前記内側平面領域及び少なくとも２つの対応する前記不均整輪郭領域を有する、請求項１７に記載のドア被覆材。
【請求項２５】
少なくとも２つの前記内側平面領域が異なる形状である、請求項２４に記載のドア被覆材。
【請求項２６】
前記内側平面領域が前記外側平面領域の面から離間した面上に位置する、請求項１６に記載のドア被覆材。
【請求項２７】
二重ドア被覆材のドア構造物において、
反対向きの各面をもつドア枠と、
前記ドア枠の一方の面へ固定される第１のドア被覆材であって凸部分と凹部分とを含む第１の不均整輪郭領域を具備する成型された木製複合材からなる前記第１のドア被覆材と、
前記ドア枠の反対側の面へ固定されかつ前記第１のドア被覆材から離間した第２のドア被覆材であって凸部分と凹部分とを含む第２の不均整輪郭領域を具備する成型された木製複合材からなる前記第２のドア被覆材とを有し、
前記第１及び第２のドア被覆材の前記凸部分が第１の距離を規定し、前記第１及び第２のドア被覆材の前記凹部分が第２の距離を規定し、前記第１の距離が前記第２の距離より長く、かつ
前記第１と第２のドア被覆材の間にプレートが設置される、
二重ドア被覆材のドア構造物。
【請求項２８】
前記第１の不均整輪郭領域が第１の内側平面領域を規定し、かつ前記第２の不均整輪郭領域が第２の内側平面領域を規定する、請求項２７に記載の二重ドア被覆材のドア構造物。
【請求項２９】
前記プレートが前記第１と第２の内側平面領域の間に設置される、請求項２８に記載のドア構造物。
【請求項３０】
前記第１及び第２の内側平面領域が、それぞれ第１及び第２のドア被覆材の前記凹部分と接続されかつこれと一体的である、請求項２８に記載のドア構造物。
【請求項３１】
前記第１及び第２のドア被覆材が互いに鏡像関係となるように前記ドア枠に固定される、請求項２７に記載のドア構造物。
【請求項３２】
前記第１の不均整輪郭領域は前記第２の不均整輪郭領域と揃っている、請求項２７に記載のドア構造物。
【請求項３３】
前記第１のドア被覆材がさらに第３の不均整輪郭領域を具備し、前記第２のドア被覆材が第４の不均整輪郭領域を具備し、かつ前記第３及び第４の不均整輪郭領域は各々凸部分と凹部分とを含む、請求項３２に記載のドア構造物。
【請求項３４】
前記第３の不均整輪郭領域が第３の内側平面領域を規定し、かつ前記第４の不均整輪郭領域が第４の内側平面領域を規定する、請求項３３に記載の二重ドア被覆材のドア構造物。
【請求項３５】
前記第３と第４の内側平面領域の間に設置された第２のプレートをさらに有する、請求項３４に記載の二重ドア被覆材のドア構造物。
【請求項３６】
前記第１及び第２のドア被覆材がさらに外側平面領域をそれぞれ具備し、前記外側平面領域の各々が前記第１及び第２の不均整輪郭領域をそれぞれ取り囲みかつ一体的である、請求項２７に記載の二重ドア被覆材のドア構造物。
【請求項３７】
前記第１及び第２の外側平面領域が前記ドア枠の反対向きの各面にそれぞれ固定される、請求項３６に記載の二重ドア被覆材のドア構造物。
【請求項３８】
前記外側平面領域同士の離間距離が、前記内側平面領域同士の離間距離よりも長い、請求項３６に記載の二重ドア被覆材のドア構造物。
【請求項３９】
前記不均整輪郭領域の各々がその関連する前記外側平面領域に対して表側へ延びる凸部分を具備し、前記凸部分同士の離間距離が前記外側平面領域同士の離間距離よりも長い、請求項３８に記載の二重ドア被覆材のドア構造物。
【請求項４０】
前記不均整輪郭領域の各々が凹部分をふくみ、前記凹部分同士の離間距離が前記内側平面領域同士の離間距離よりも短い、請求項３９に記載の二重ドア被覆材のドア構造物。
【請求項４１】
第１面と第２面を具備しかつ第１の幅をもつ周囲枠と、
前記周囲枠の第１の面へ固定された外側平面領域と、上部凸部分及び上部内側平面領域と、前記上部凸部分及び前記上部内側平面領域から離間した下部凸部分及び下部内側平面領域とを具備する第１のドア被覆材と、
前記周囲枠の第２の面へ固定された外側平面領域と、上部凸部分及び上部内側平面領域と、前記上部凸部分及び前記上部内側平面領域から離間した下部凸部分及び下部内側平面領域とを具備する第２のドア被覆材とを有し、
前記第１と第２のドア被覆材における前記上部凸部分同士及び前記内側平面領域同士が互いに揃った位置にある、
ドア。
【請求項４２】
前記第１及び第２のドア被覆材における前記上部内側平面領域同士及び前記下部内側平面領域同士のそれぞれの間に固定され設置されたプレートをさらに有する、請求項４１に記載のドア。
【請求項４３】
前記第１及び第２のドア被覆材が複数の前記凸部分及びこれらに対応する複数の内側平面領域を含む、請求項４１に記載のドア。
【請求項４４】
前記複数の内側平面領域の各々の間に固定され設置された複数のプレートをさらに有する、請求項４３に記載のドア。
【請求項４５】
前記第１及び第２のドア被覆材の前記凸部分が、前記外側平面領域の面に対してこの面から表側に延びている、請求項４１に記載のドア。
【請求項４６】
前記凸部分が第１の厚さをもち、前記外側平面領域が第２の厚さをもち、かつ前記第１の厚さが前記第２の厚さより薄い、請求項４１に記載ドア。
【発明の詳細な説明】
【技術分野】
【０００１】
本願は、発明の名称「二重被覆材構造物」で2002年11月27日に出願された出願番号10/308,263の一部継続出願であり、当該出願は、発明の名称「二重被覆材のドア構造物」で2002年8月20日に出願された出願番号10/223,744の一部継続出願であり、これらの出願の開示はここに参照することにより包含され、これらに対する優先権は米国特許法35U.S.C.第１２０条に基づき主張される。
【０００２】
本発明は、周囲枠と一対の逆成型木製複合ドア被覆材とを有し、これら一対のドア被覆材が、表面と、周囲枠の反対向きの各面へ固定される裏面とをもつ中空芯ドアに関する。ドア被覆材の少なくとも一方は、外側平面領域と、内側平面領域と、前記内側平面領域を取り囲み前記外側平面領域と内側平面領域とを相互接続しかつこれらと一体的な不均整輪郭領域とをもつ。この不均整輪郭領域は、前記外側平面領域の表面からこの面に対して表側に延びる凸部分をもつ。
【背景技術】
【０００３】
例えば中密度ファイバーボードであるファイバーボード、ハードボード、チップボード、オリエンテッドストランドボード−ファイバーボード複合材、パーティクルボード、オリエンテッドストランドボード−パーティクルボード複合材等の人工ボードは、スタイル(縦枠）、レール(横枠）、パネル又は他の所望する特徴を模した輪郭付けした部分をもつように形成される場合がある。このような製品は、パネルや他の装飾的特徴を模した１又は複数の窪みや盛り上がりを含むように形成される場合がある。このように形成された窪み部分及び盛り上がり部分は、天然木パネルドアの複製といってもよい。
【０００４】
汎用的なドアに関しては、最終的なドアを製造するために、成型ドア被覆材を接着剤で木製枠支持構造へ固定することができる。ドアに対して付加的な構造上の支持部を設けるために横木及び段も用いられることがある。このようなドアは周知の技術であり、消費者に対し、伝統的な無垢板ドアの代替物として十分に審美的でありかつ低コストなものを提供する。
【０００５】
例えば特許文献１は、不均整に形成されたドア及びその製造方法を開示する。この不均整性により、温度及び湿度の条件に応じてドア部分がその周囲枠から奥側に反ることができる一方、周囲枠は反ることがない。従って、ドアの周囲枠はその本来の平坦な形状を維持する。開示されたドアは、周囲枠へ固定された一対の不均整に構築された被覆材を有し、被覆材同士の間には発泡材が設けられる。一般的に、このドアは屋外用ドアとして用いられる。特許文献２は、汎用的な周囲枠とこの周囲枠へ固定された一対の成型ファイバーグラス被覆材をもつ複合構造を有するドアを開示する。この被覆材と周囲枠の内部にはプラスチック発泡コアがある。特許文献３は、周囲枠をもち、この周囲枠が成形金属型押し材又は本体パネル材の間に挟まれるドアを開示する。その後、木の外観を呈するように金属型押し材に対して木製パネル材又は化粧張りを接着剤で固定してもよい。いくつかの異なる外側形状が開示されている。
【特許文献１】米国特許第5,782,055号明細書
【特許文献２】米国特許第5,074,087号明細書
【特許文献３】米国特許第5,438,808号明細書
【発明の開示】
【発明が解決しようとする課題】
【０００６】
本発明は、汎用的な周囲枠と一対の逆成型木製複合ドア被覆材とを有するドアを提供する。一対の成型ドア被覆材は不均整な形状をもち、これらのドア被覆材の選択された部分の間に充填材を具備する。充填部分が不均整部分に隣接して配置されることにより、温度や湿度の条件に起因する不均整部分の反りを妨げないようにする。
【課題を解決するための手段】
【０００７】
本発明は、周囲枠と、第１及び第２の逆成型ドア被覆材とを有する中空芯ドアに関する。ドア被覆材の各々は、表面と、周囲枠の反対向きの各面へ固定される裏面とをもつ。ドア被覆材の少なくとも一方は、外側平面領域と、内側平面領域と、この内側平面領域を取り囲んで外側平面領域と内側平面領域とを相互接続しかつこれらと一体的な不均整輪郭領域とを具備する。この不均整輪郭領域は、外側平面領域の表面に対してこの面から表側に延びる凸部分をもつ。
【０００８】
さらに本発明は、外側平面領域と、内側平面領域と、この内側平面領域を取り囲んで外側平面領域と内側平面領域とを相互接続しかつこれらと一体的な不均整輪郭領域とを具備する成型ドア被覆材に関する。この不均整輪郭領域は、外側平面領域の表面に対してこの面から表側に延びる凸部分をもつ。
【０００９】
二重ドア被覆材のドア構造物が提供され、これは、反対向きの各面をもつ周囲枠を有する。第１のドア被覆材は周囲枠の一方の面へ固定される。第１のドア被覆材は、凸部分と凹部分とを含む第１の不均整輪郭領域をもつ。第２のドア被覆材は周囲枠の反対側の面へ固定され、かつ第１のドア被覆材から離れている。第２のドア被覆材は凸部分と凹部分とを含む第２の不均整輪郭領域をもつ。第１及び第２のドア被覆材の凸部分は第１の距離を規定し、そして第１及び第２のドア被覆材の凹部分は第２の距離を規定し、その場合、第１の距離は第２の距離よりも長い。第１と第２のドア被覆材の間にはプレートが設置される。
【００１０】
ドアが、第１面と第２面を具備する周囲枠を有する。この周囲枠は第１の幅をもつ。周囲平面領域をもつ第１のドア被覆材は、周囲枠の第１面へ固定される。この第１のドア被覆材は、上部凸部分及び上部内側平面領域と、これらから離間した下部凸部分及び下部内側平面領域とを具備する。周囲平面領域をもつ第２のドア被覆材は、周囲枠の第２面へ固定される。この第２のドア被覆材は、上部凸部分及び上部内側平面領域と、これらから離間した下部凸部分及び下部内側平面領域とを具備する。第１と第２のドア被覆材における上部凸部分同士、並びに第１と第２のドア被覆材における内側平面領域同士は、互いに揃った位置にある。好適には、ドア被覆材が、中密度ファイバーボード、チップボード、フレークボード、オリエンテッドストランドボード等の木製複合材から成型される。
【００１１】
本発明の目的は、次の通りである。
・新規かつ有用なドア構造物の提供。
・新規かつ有用な屋内ドア構造物の提供。
・周囲枠へ固定された一対の外側ドア被覆材を具備する新規かつ有用なドア構造物の提供。
・周囲枠へ固定された一対の不均整な形状をもつ外側ドア被覆材を具備する新規かつ有用なドア構造物の提供。                                        apparatus
・鏡像の向きで周囲枠へ固定された一対の不均整な形状をもつ外側ドア被覆材を具備する新規かつ有用なドア構造物の提供。
・周囲枠へ固定された、不均整輪郭領域をもつ一対の外側ドア被覆材と、前記ドア被覆材へ固定され前記不均整輪郭領域に隣接して芯部に設置されたプレートとを具備する新規かつ有用なドア構造物の提供。
【発明を実施するための最良の形態】
【００１２】
図１に最もよく示される通り、ドア１０は周囲枠１２を有し、周囲枠１２は一対のスタイル(縦枠)１４、１６と一対のレール(横枠)１８、１９とを具備する。レール２０はドア１０の頂部近傍に配置され、レール１８はドア１０の底部近傍に配置される。スタイル１４、１６及びレール１８、２０はドア１０の周囲枠１２を規定するべく適切に互いに固定される。周囲枠１２はさらに、レール１８、１９の中間に配置されスタイル１４、１６の間全体に延びる中間レール２２を具備してもよい。好適には、中間レール２２は、頂部のレール１８と底部のレール２０に対して平行に延びる。周知技術のように、取っ手セット（図示せず）をドア１０の中間レール２２の位置に固定してもよい。中間レール２２によりドア１０は、右手ドアは左手ドアのいずれとしても取り付けられる。中間レール２２はスタイル１４、１６の間全体に延びているので、取っ手セットは、スタイル１４、１６のいずれかの近傍でドア１０に固定することができる。
【００１３】
好適には、スタイル１４、１６、レール１８、２０及び中間レール２２が、木または木製品から作製される。ドア１０は、屋内ドアとして特に適しており、そして中空芯ドアと称されることもある。さらにドア１０は、２枚のドア被覆材３０、５０を有する。ドア被覆材３０、５０の各々は、表側の目に見える表面３１、５１と、周囲枠１２の反対向きの各面へ固定するための裏面３３、５３とをもつ。ドア被覆材３０、５０は、互いに鏡像関係となるように周囲枠１２へ固定してもよい。
【００１４】
ドア被覆材３０は、外側平面領域３２を含む。外側平面領域３２より内側において、被覆材３０に不均整輪郭領域Ｐが形成される。不均整輪郭領域Ｐは、凸部分３４と凹部分３６とを具備する。凸部分３４及び凹部分３６の特別な形状は、消費者の好みにより変更できる。凹部分３６より内側には、内側平面領域３８がある。図２に示すように、平面領域３２及び３８の厚さは、凸部分３４及び凹部分３６の厚さよりも厚い。従って、内側平面領域３８は不均整輪郭領域Ｐの周縁の内側に配置され、外側平面領域３２に対して内側に離間している。すなわち、不均整輪郭領域Ｐは、表面３１内で閉じた領域を形成する。この閉じた領域は、消費者の好みにより規則的でも不規則でもよい。例えば、不均整輪郭領域Ｐが長方形の閉じた領域を形成してもよく、あるいは不均整輪郭領域Ｐが図１に示すような曲線の辺をもつ閉じた領域を形成してもよい。いずれの場合も、不均整輪郭領域Ｐは連続的すなわち閉鎖的なループを形成し、内側平面領域３８はその閉じたループの内側に配置されている。
【００１５】
ドア１０は、複数の不均整輪郭領域Ｐを具備してもよい。例えば、図１に示すドア１０は、凸部分３４及び凹部分３６により規定される不均整輪郭領域Ｐを具備する。不均整輪郭領域Ｐは、ドア１０の上部に、好適には中間レール２２より上でかつレール２０より下に配置される。加えて、ドア１０は、中間レール２２より下でかつレール１８より上に配置される第２の不均整輪郭領域Ｐ２を具備する。不均整輪郭領域Ｐ２は、不均整輪郭領域Ｐとは異なる閉鎖ループ形状及び外観を有してもよい。不均整輪郭領域Ｐ２は、下部凸部分４０及び下部凹部分４２により形成される。下部凸部分４２より内側には下部平面領域４４がある。このように、下部不均整輪郭領域Ｐ２もまた、連続的構成要素である凸部分４０及び凹部分４２をもつ閉鎖ループを有する。
【００１６】
不均整輪郭領域Ｐ、Ｐ２またはそれらの接続構成要素の特定の形状は、消費者の好みにより図１に示したもの以外へ変更してもよい。下部不均整輪郭領域Ｐ２が正方形乃至長方形で示されている一方、上部不均整領域Ｐは３つの直線の辺と１つの曲線の辺をもつ不規則な形状で示されている。ドア被覆材３０に対してはいずれの形状又は外観の不均整輪郭領域を形成してもよいことを理解すべきである。さらに、ドア被覆材３０は、任意の数の不均整領域を具備してもよく、それによりマルチパネルドアを模する。加えて、ドア被覆材３０は、図１に示すような木目パターンを具備してもよい。周知技術のように、木目パターンはドア被覆材３０にエンボス加工または成形することができ、あるいは化粧張りまたは紙のカバー材を表面３１に対して固定してもよい。
【００１７】
図２に最もよく示されるドア被覆材５０は、実質的にドア被覆材３０と同じである。従ってドア被覆材５０は、外側平面領域５２と、上部凸部分５４と、上部凹部分５６と、前記凸部分５４及び前記凹部分５６並びにそれらの接続構成要素により形成される不均整輪郭領域の内側にある上部内側平面領域５８とを具備する。ドア被覆材５０が本質的にドア被覆材３０の鏡像であるということから、ドア被覆材５０の他の部分は図１から理解できる。従って、ドア被覆材５０もまた任意の形状又は外観の不均整輪郭領域を具備してもよいが、ドア被覆材３０に形成される形状に対応することが好適であり、それにより、図２に示すようにドア被覆材３０の凸部分及び凹部分の位置が、ドア被覆材５０の凸部分及び凹部分の位置と揃う。互いに鏡像関係にあるドア被覆材であって双方が不均整輪郭領域を具備する二重ドア被覆材を使用することは、温度及び湿度の事実上全ての条件下に適したドアを実現する。そして消費者を大いに喜ばせることにもなる。特に、不均整性輪郭領域があることから、ドア１０において周囲枠１２より内側に配置される部分が、温度及び湿度の条件に応じて周囲枠１２を反らせることなく反ることができる。このようにして、周囲枠１２はその本来の平面形状を維持する。
【００１８】
ドア被覆材３０、５０は、外側平面領域３２、５２の裏面３３、５３にて周囲枠１２の反対向きの各面に対して固定される。そして中間レール(すなわちロックレール)２２に対応する裏面３３、５３もそれぞれ固定される。ドア被覆材３０及び５０は、中密度ファイバーボード等の木製複合材から成型されることが好適である。ドア被覆材３０とドア被覆材５０とは同一であることが好適である。本発明の一実施例においては、プレート７０を設けることにより、プレート７０の近傍にある不均整輪郭領域Ｐの反りを妨げることなくドア被覆材３０、５０の安定性を確保する。第２のプレート７０を、下部内側平面領域４４の裏面３３とこれに対応するドア被覆材５０の下部内側平面領域との間に配置して裏面へ固定してもよい。不均整輪郭領域Ｐ、Ｐ２は、周囲枠１２またはプレートを伴う内側平面領域３８、５８のいずれにも悪影響を及ぼすことなく、温度及び湿度の条件に応じて反ることができる。そして同様に、固定されたプレート７０を伴う内側平面領域３８、５８もまた、不均整輪郭領域Ｐ、Ｐ２が反ることに対して悪影響を及ぼさない。プレート７０は、ドアが設置される構造における温度及び湿度の条件に関わらず、ドア１０の強度及び安定性を補強する。プレート７０は、木、木製複合材、発泡材、及び同様のドア芯材を形成するために用いられる材料から作製される。プレート７０は、隣接するドア被覆材に対して接着剤により固定されることが好適である。
【００１９】
図２に最もよく示されるように、周囲枠１２は所定の幅すなわち厚さをもち、そして矢印ｄ１で示される凸部分３４と凸部分５４との間の距離は、矢印ｄ２で示される周囲枠１２の幅よりも長い。矢印ｄ３で示される凹部分３６と凹部分５６との間の距離は、周囲枠１２の幅よりも短い。矢印ｄ４で示される内側平面領域３８と内側平面領域５８との間（これらの間にはプレート７０がある）の距離は、凸部分３４と凸部分５４との間の距離（ｄ１）より短いが、凹部分３６と凹部分５６との間の距離（ｄ３）よりも長い。また、図２に示すように、ドア被覆材３０及び５０へ固定されるプレート７０は、縦方向ではレール１４から離間しており、それにより平面領域３２、凸部分３４及び凹部分３６を取り囲む中空空間が設けられる。
【００２０】
加えて、凸部分３４におけるドア被覆材３０の厚さは、外側平面領域３２又は内側平面領域３８におけるドア被覆材の厚さよりも薄い。表面３１に関して、凸部分３４は外側平面領域３２の面を超えて表側に延びている。表面３１に関して、凹部分３６は外側平面領域３２の面から裏側に延びている。内側平面領域３８は、外側平面領域３２の面から離間した面上に位置し、図２に示すように外側平面領域３２より窪んでいることが好適である。凹部分３６は、内側平面領域３８の面から裏側に延びることにより、凹部分３６、５６の間に比較的短い距離ｄ３の間隙を設けてもよい。
【００２１】
同様に、凸部分５４におけるドア被覆材５０の厚さは、外側平面領域３２又は内側平面領域３８におけるドア被覆材の厚さよりも薄い。表面５１に関して、凸部分５４は外側平面領域５２の面から裏側に延びている。内側平面領域５８は、外側平面領域５２の面から離間した面上に位置し、外側平面領域５２より窪んでいることが好適である。凹部分３６と同様に凹部分５６もまた、内側平面領域５８の面から裏側に延びており、それにより距離ｄ３を規定する。
【００２２】
下部不均整輪郭領域Ｐ２の凸部分と凹部分に関する形状及び配列は、実質的に前述の上部不均整輪郭領域Ｐの凸部分と凹部分におけるものと同じである。そして、プレートを伴う内側平面領域が揃っている。下部不均整輪郭領域Ｐ２の形状は消費者の好みによって変更できる。
【００２３】
図３に最もよく示されるように、本発明の第２の実施例ではドア１１０が、周囲枠１１２と、複数の上部不均整輪郭領域１３４、１４４及び内側平面領域１４０、１５０と、複数の中間不均整輪郭領域１５４、１６４及び内側平面領域１６０、１７０と、複数の下部不均整輪郭領域１７４、１８４及び内側平面領域１８０及び１９０とを具備する。周囲枠１１２は、一対の縦のスタイル１１４、１１６と一対の横のレール１１８、１２０とを具備する。ドア１１０は、スタイル１１４、１１６の間に延びてこれらに適切に固定される中間レール１２２を具備してもよい。一対のドア被覆材１３０が、前述のドア１０におけると同様に、周囲枠１１２及び中間レール１２２の反対向きの各面に対して適切に固定される。図３には一方のドア被覆材１３０だけが示されているが、他方のドア被覆材が周囲枠１１２の反対側に固定されており、好適にはドア被覆材１３０と鏡像関係である。これはドア１０におけるドア被覆材５０がドア被覆材３０と鏡像関係にあることが好適であるのと同じである。ドア被覆材１３０の各々は、中密度ファイバーボード等の成型された木製複合材から製造される。
【００２４】
各ドア被覆材１３０は、周囲枠１１２へ固定することができる外側平面領域１３２を具備する。ドア被覆材１３０は、一対の上部不均整輪郭領域１３４、１４４と、一対の中間不均整輪郭領域１５４，１６４と、一対の下部不均整輪郭領域１７４、１８４とを具備する。不均整輪郭領域１３４、１４４、１５４、１６４、１７５及び１８４は、大きさと形状が異なっていてもよい。例えば、図３に示すように、上部不均整輪郭領域１３４、１４４が、中間及び下部の不均整輪郭領域１５４、１６４及び１７４、１８４よりも小さい。大きさと形状の違いは、単に説明と例示のためであり、ドア１１０の機能にとっては重要でない。
【００２５】
ドア１０に関して前述した通り、ドア１１０の不均整輪郭領域の各々は、閉鎖ループの凸部分とこれと一体的に接続されている閉鎖ループの凹部分とを具備する。各凹部分は、内側平面領域の周りに配置されている。例えば、不均整輪郭領域１３４は、閉鎖ループの凹部分１３８と接続された閉鎖ループの凸部分１３６を具備し、内側平面領域１４０を取り囲んでいる。不均整輪郭領域１４４は、閉鎖ループの凹部分１４６と接続した閉鎖ループの凸部分１４８を具備し、内側平面領域１５０を取り囲んでいる。
【００２６】
中間不均整輪郭領域１５４、１６４はそれぞれ、閉鎖ループの凸部分１５６、１６６と、これと一体的に接続された閉鎖ループの凹部分１５８、１６８を具備し、内側平面領域１６０、１７０を取り囲んでいる。下部不均整輪郭領域１７４、１８４はそれぞれ、閉鎖ループの凸部分１７６、１８６と、これと一体的に接続された閉鎖ループの凹部分１７８、１７８を具備し、内側平面領域１８０、１９０を取り囲んでいる。
【００２７】
図３に示すように、閉鎖ループの不均整輪郭領域は、概して細長い長方形である。しかしながら、ドア１１０の不均整輪郭領域は、消費者の好みにより任意の所望の大きさ及び形状でよい。例えば、不均整輪郭領域が、丸、正方形、長方形、不規則形、又はこれらの組合せの形状（図１の不均整輪郭領域Ｐ等）であってもよい。周囲枠１１２を歪ませたり反らせたりすることなく、ドア１１０が適切に反ることができるためには、これらの不均整輪郭領域が閉鎖ループであることのみを必要とする。不均整輪郭領域の各々は、凸部分と、この凸部分へ接続された凹部分と、包囲された内側平面領域とを具備する。
【００２８】
好適には、対向するドア被覆材１３０が周囲枠１１２へ固定されることにより、断面を見た場合に一対のドア被覆材１３０が鏡像関係となる（ドア１０についての図２参照）。従って、一対のドア被覆材１３０は、上述のドア１０におけると同様の方法で周囲枠１１２へ固定される。さらに、ドア１１０は、包囲した内側平面領域１４０、１５０、１６０、１７０、１８０、１９０と対応する他方のドア被覆材１３０の内側平面領域との間において、一対のドア被覆材１３０の間に固定されるプレートを具備する。さらに、ドア１１０もまた、図３に示すように木目パターンを設けてもよい。
【００２９】
図４に最もよく示されるように、本発明の第３の実施例ではドア２１０が、スタイル２１４へ固定されたロックブロック２２２を具備する。これは、（ドア１０及び１１０における）縦のスタイル同士の間全体に延びる中間レールすなわちロックレールに替わるものである。第２のロックブロック（図示せず）を、ドア２１０の反対側の辺における反対側のスタイルへ固定してもよい。対向するスタイルの間全体に延びる中間レールを省いて少なくとも１つのロックブロック２２２を含めることを除いて、ドア２１０の形状は、ドア１０及び１１０で説明したものと同じである。２つのロックブロックと共に、ドア２１０がそのいずれかの側に固定されたロックセットを有してもよい。
【００３０】
従って、ドア２１０は、スタイル２１４を具備する全周囲枠２１２を具備し、スタイル２１４に対してロックブロック２２２が固定される。一対のドア被覆材２３０、２５０は周囲枠２１２の反対向きの各面へ固定される。説明のために、ドア被覆材２３０は「前面」被覆材とし、ドア被覆材２５０は「背面」被覆材とする。ドア１０及び１１０で説明した通り、ドア被覆材２３０、２５０は互いに鏡像関係である。ドア被覆材２３０は外側平面領域２３２を具備し、ドア被覆材２５０は外側平面領域２５２を具備する。外側平面領域２３２、２５２は、周囲枠２１２及びロックブロック２２２へ適切に固定される。同様に、ロックブロック２２２の反対側のロックブロック（図示せず）は、反対側のスタイル（図示せず）へ固定される。
【００３１】
ドア被覆材２３０における不均整輪郭領域は、前述と同様に凸部分２３４と、凹部分２３６とを具備する。ドア被覆材２５０における不均整輪郭領域は、凸部分２５４と、凹部分２５６とを具備する。図２でドア１０について示したように、各ドア被覆材のそれぞれの凸部分同士及び凹部分同士は互いに揃っている。
【００３２】
凸部分と凹部分は、ドア被覆材２３０、２５０の全長において切れ目無く連続的に延び、外側平面領域２３２、２５２より内側にそれぞれ配置されている。従って凸部分及び凹部分は、ドア１０及び１１０の短めの閉鎖ループに比べて相対的に長い閉鎖ループとなる。中間レールすなわちロックレールを横方向に延ばすことなく、ドア２１０は、ドア被覆材２３０、２５０にこのような全長に亘る不均整輪郭領域を具備することができる。
【００３３】
前述のように各ドア被覆材２３０、２５０は、その凹部分に隣接する内側平面領域を具備する。例えば、ドア被覆材２３０は内側平面領域２３８を具備し、ドア被覆材２５０は内側平面領域２５８を具備する。プレート２７０を、内側平面領域２３８と２５８との間に固定することができる。前述のように、プレート２７０はドア２１０に安定性を付与する。プレート２７０は、ドア２１０の不均整輪郭領域の内側全体に延び、凹部分２３６、２５６に隣接する。プレート２７０は、温度及び湿度の条件に応じた一対の不均整輪郭領域の反りを妨げない。
【００３４】
本発明の幾つかの形態を特定の実施例に関して説明した。しかしながら、当業者であれば、本発明の主旨から逸脱することなく本発明の構造及び形状において種々の修正及び変更が可能であることは、理解できるであろう。従って、特許請求の範囲及びその均等範囲により含まれる限りにおいて、本発明はそれらの修正や変更も包含する。
【図面の簡単な説明】
【００３５】
【図１】本発明によるドアの正面図である。
【図２】図１のライン２−２を矢印の方向に観た部分断面図である。
【図３】第２の実施例によるドアの正面図である。
【図４】第３の実施例によるドアの部分拡大図である。
【図１】
2005536669.tif 000003
【図２】
2005536669.tif 000004
【図３】
2005536669.tif 000005
【図４】
2005536669.tif 000006
【国際調査報告】
2005536669.tif 000007
2005536669.tif 000008
2005536669.tif 000009